(57)【特許請求の範囲】
【請求項１】
前出し本体の幅方向の両側端部に複数のローラをそれぞれ架設し、該架設した複数のローラの間に位置する前記前出し本体にこれの長手方向と平行に板状のリブを立設させるかあるいは全体が低摩擦材で形成されるスベリ面を設けてなり、該リブ又は該スベリ面の上面は該ローラの上面に比してわずかに下にあり、両複数のローラ上に載置した商品を下り傾斜によりその取出部側に移動させてなることを特徴とする商品陳列具。
【請求項２】
前記前出し本体は、これの取出部側が水平部をなし、該水平部に前記取出部側に下り傾斜する傾斜部を連結して形成した請求項１記載の商品陳列具。
【請求項３】
前記前出し本体は、これの取出部側が下り傾斜する傾斜部をなし、該傾斜部に水平部を連結して形成した請求項１記載の商品陳列具。
【請求項４】
前記前出し本体は、これの取出部側に下り傾斜する傾斜部を複数連結して形成した請求項１記載の商品陳列具。
【請求項５】
前記載置商品が、底部が脚状凸部を有する炭酸飲料ボトルなどの圧力容器である請求項１〜４のいずれか１項記載の商品陳列具。
【発明の詳細な説明】
【０００１】
【発明の属する技術分野】
本発明は、主にコンビニエンスストアーやスーパー等の店内に設置されている商品陳列棚等に載置することにより用いられ、商品の自動前出しが容易な商品陳列具に関するものである。
【０００２】
【従来の技術】
従来、コンビニエンスストアーやスーパー等では、図８に示す商品陳列ケース５０の各商品陳列棚５１に、多種類の商品５２が豊富に陳列されている。商品５２は手前の方から売れてゆくため、必然的に手前の部分が空くことになり、奥にある商品５２を手前に出す所謂前出し作業が必要となる。この為、種々の自動又は半自動の前出し機能を備えた商品陳列棚又は商品陳列具が多数提案されている。例えば、前出し本体５３に複数のローラ５４が商品陳列ケース５０の扉５５側に下り傾斜となるように取り付けられたトレイ状の商品陳列具５６がある（特開平８−２４０９１号公報参照）。この商品陳列具５６は、複数のローラ５４が円筒状であるから、図９及び図１０に示すように、円形容器である商品５２の底部が複数のローラ５４上にほぼ全体的に接した状態、すなわち、面接触５４ａで扉５５側に移動する。この状態は商品５２の底部の形状に係わりなく、複数のローラ５４上で面接触することとなる。従って、この商品陳列具５６では、商品陳列棚５１上に複数のローラ５４を水平となるように設置すると共に、商品５２が扉５５側に移動するように扉５５側に下り傾斜に設置する。そして、商品５２が扉５５側に移動する過程で、商品５２に同時に面接触しているローラ５４のスラスト摩擦等が新たに発生しないようにし、かつ商品５２が一方の側板５７に片寄り、スベリ摩擦が新たに発生する様なことがないようにする必要がある。
【０００３】
また、上記の商品陳列具５６は、トレイ状であるから、商品５２のサイズ毎に何種類かを用意しなければならないため、商品５２のサイズに影響されない組み合わせタイプのものが考えられる。このタイプのものとして、図１１に示すように、自動前出しを維持しつつ、商品５２のサイズに合わせて、側板５７、５７間における幅寸法を決め、そのまま別体の連結機５８等により位置止めする商品陳列具５６ａが考えられる。この商品陳列具５６ａは、商品５２のサイズに合わせて、側板５７、５７間の幅寸法を決めることができて都合が良い。この商品陳列具５６ａでは、２台以上の組み合わせになるから、双方の複数のローラ５４同士も水平となるように、商品陳列棚５１上に設置する必要がある。その理由は図９及び図１０の商品陳列具５６と同じである。
【０００４】
【発明が解決しようとする課題】
上記従来の商品陳列具５６は、炭酸飲料の容器のように、商品５２として、底部が脚状凸部５９を有するようなボトル６０である場合、下り傾斜により自動前出しするから、その自動前出しの過程でボトル６０の前端に荷重がかかっているため、複数のローラ５４の間の凹み６１に、脚状凸部５９が嵌まり易く、ボトル６０が前出しの途中で止まったり、移動しずらくなったりする現象が生ずる。この現象は特にローラ５４の中央部に多く発生する。その理由は、図１０に示すように、ローラ５４の両端部では脚状凸部５９が複数のローラ５４に跨がって載るが、中央部では脚状凸部５９が複数のローラ５４に跨がって載らないし、しかもボトル６０の前端に荷重がかかっているからである。このような現象を防ぐため、商品陳列具５６の傾斜を急にすることが考えられるが、今度は上方の商品陳列棚５１にボトル６０が直接当たったり、上方の商品陳列棚５１に設けられた照明灯６２（図７参照）に当たったりして、商品陳列具５６の傾斜を急にすることができないことがある。
【０００５】
また、商品陳列具５６ａは、上記の不都合な場合に加えて、その中央部にローラ５４が無いから、ボトル６０の脚状凸部５９が複数のローラ５４の間の凹み６１に嵌まらず、一見良いように思われる。しかし、中央部に何もないから、ボトル６０は不安定の状態に置かれ、ボトル６０の前端に荷重がかかっているため、自動前出しの過程で転倒する恐れが出てくる。
【０００６】
従って、本発明の目的は、商品の形状、特に底部や高さ等によっても影響されずに、スムーズな自動前出しを維持することのできる商品陳列具を提供することにある。
【０００７】
【課題を解決するための手段】
かかる状況において、本発明者は、鋭意検討を行った結果、前出し本体の幅方向の両側端部に複数のローラをそれぞれ架設し、それらの間にスベリ部を設ければ、炭酸飲料ボトルのような圧力容器の底部に脚状凸部があっても、複数のローラによる凹みが中央部にはないため、凸部がその凹みに嵌まることが無いし、スベリ部により滑りかつ支持し、商品が不安定になり転倒することもないことを見い出し、本発明を完成するに至った。
【０００８】
すなわち、本請求項１に係る発明は、前出し本体の幅方向の両側端部に複数のローラをそれぞれ架設し、該架設した複数のローラの間に位置する前記前出し本体にこれの長手方向と平行に板状のリブを立設させるかあるいは全体が低摩擦材で形成されるスベリ面を設けてなり、該リブ又は該スベリ面の上面は該ローラの上面に比してわずかに下にあり、両複数のローラ上に載置した商品を下り傾斜によりその取出部側に移動させてなることを特徴とする商品陳列具を提供するものである。かかる構成を採ることにより、商品の底部に凸部があっても、両複数のローラ上に載置している凸部は同時に複数のローラ上に載るし、ローラ間には凹みがないため、商品が前出しの過程で止まらず、リブで支持することから転倒することもなく、商品が取出部側にスムーズに移動するようになる。
【０００９】
また、本請求項２に係る発明は、前記前出し本体は、これの取出部側が水平部をなし、該水平部に前記取出部側に下り傾斜する傾斜部を連結して形成したことを特徴とする商品陳列具を提供するものである。かかる構成を採ることにより、水平部に載置している商品は取出部側に近いため、自動前出しされていなくてもそのまま商品を取り出せる。また、水平部に載置してある商品を全部取り出した後、傾斜部に載置してある商品は水平部の端まで自動前出しされ、商品を取り出すことができ、傾斜部が減る分商品の設置高さ寸法に余裕が生じる。
【００１０】
また、本請求項３に係る発明は、前記前出し本体は、これの取出部側が下り傾斜する傾斜部をなし、該傾斜部に水平部を連結して形成したことを特徴とする商品陳列具を提供するものである。かかる構成を採ることにより、傾斜部に載置してある商品は取り敢えず全て取出部まで自動前出しされ、商品を取り出せる。また、水平部に載置してある商品は取り出し難いものの、傾斜部に載置された商品が全て売り切れる頃は商品の補充の時間帯に近づいているため、商品補充時に先に水平部に商品補充をして、水平部上の商品は手動前出し傾斜部に載置することで、傾斜部が減る分商品の設置高さ寸法に余裕が生じる。
【００１１】
また、本請求項４に係る発明は、前記前出し本体は、これの取出部側に下り傾斜する傾斜部を複数連結して形成したことを特徴とする商品陳列具を提供するものである。かかる構成を採ることにより、取出部に隣接している傾斜部に載置している商品は取り敢えず全て取出部まで自動前出しされ、商品を取り出せる、次の傾斜部に載置してある商品は隣接傾斜部まで自動前出しされ、商品を取り出すことができ、このような二段又は多段構えの傾斜部を構成することにより、高さが制限され、商品の設置高さ寸法に余裕が生じる。また、請求項５に係る発明は、前記載置商品が、底部が脚状凸部を有する炭酸飲料ボトルなどの圧力容器である商品陳列具を提供するものである。かかる構成を採ることにより、特に、底部が脚状凸部を有する炭酸飲料ボトルなどの圧力容器を陳列し前出しする場合に優れた効果を発揮する。
【００１２】
【発明の実施の形態】
以下、実施の形態を挙げて本発明を図１〜図７に基づいて詳述する。
図１は本発明の実施の形態である商品陳列具のセット状態を示す斜視図、図２は本発明の実施の形態である商品陳列具のローラと商品との接触状態を示す一部を断面した正面図である。図において、商品陳列具１は、前出し本体２の幅方向の両側端部２ａ、２ｂに複数のローラ３、３をそれぞれ架設し、その架設した両複数のローラ３、３の間に位置する前出し本体２の中央部２ｃに、これの長手方向と平行なスベリ部４を設けてなる。そして、このスベリ部４及び両複数のローラ３、３上に載置した商品５を外力により、その取出部６側に移動させてなるものである。そして、この商品陳列具１はその必要数が連結機７により、商品５の幅寸法に合わせて連結されて、図８に示すように、商品陳列ケース５０の商品陳列棚５１等に設置される。
【００１３】
前出し本体２は、商品５の取出部６に近づくに従い幅狭くなっている細長い２枚の側板１０、１１が、その両端に取出部６に位置する前方側板１８及びその反対側の後方側板１２に取り付けられ所謂滑り台状に形成される。側板１１の上部延出部は商品５の仕切り板を兼ねている。更に、これらの側板１０、１１の下端面には、連結機７が嵌められる凹溝１３が刻まれている。
【００１４】
そして、前出し本体２の側端部２ａ、すなわち、側板１０と支持板１４との間及び端部２ｂ、すなわち、側板１１と支持板１５との間に複数のローラ３、３が取出部６側に下り勾配となるように、回転自在に架設されている。更に、前出し本体２の中央部２ｃ、すなわち、支持板１４と支持板１５との間に前記スベリ部４が、取出部６側にローラ３、３と同じ下り勾配となるように設けられている。従って、複数のローラ３、３及びスベリ部４上に商品５を載せた際、商品５の底がほぼ等しくこれらに当たるようになり、その商品５がその自重に起因して常時働く分力により、取出部６側に移動するようになっている。
【００１５】
スベリ部４は、図１及び図２の実施例では上端が曲面に成形された３枚のリブ１６により構成され、これら３枚のリブ１６が前出し本体２の長手方向と平行に、すなわち、側板１０、１１と平行に設けられている。このようにスベリ部４が構成されているのは、前記商品５が例えば炭酸飲料ボトルなどの圧力容器の底が脚状凸部５９を有するようなボトル６０である場合に、ボトル６０の移動方向の先端部に荷重がかかるから、この脚状凸部５９が従来例で示すような複数の１本もののローラ５４の間の凹み６１に嵌まり込み易く、その結果ボトル６０が停止し、自動前出しができなくなることを防止するためである。更に、商品５が移動中にスベリ部４が常に支持して、商品５が転倒するのを防止するためでもある。従って、スベリ部４はリブ１６に限定されず、全体が低摩擦材で形成されるようなスベリ面であっても、リブ１６が１枚でもよい。このスベリ部４は、要するに商品５の底に凸部があっても、商品５が取出部６側に移動する際、その凸部に起因して止まったり、転倒することが無いような形状であれば、特に限定がないものである。スベリ部４の上面はローラ３、３の上面に比してわずかに下にあるのが好ましい。その理由としては、ボトル６０が揺れながら前方に前出しされる際、ボトル６０の前方底部がスベリ部４に接したり接しなかったりすることが円滑な前出しを実現でき、特に炭酸飲料ボトルの底が脚状凸部５９である場合には前方脚状凸部５９とスベリ部４が時には接することにより案内されるためである。なお、図１において、１７は止め板で取出部６に近在して商品５の倒れ及び落下防止用のもので、前記連結機７と一体の保持具１８により支持される。
【００１６】
次に、上記構成になる商品陳列具１の使用方法を説明する。
まず、商品陳列具１の必要数を連結機７により、商品４の幅寸法に合わせつつ連結して（図１参照）、図８に示すような商品陳列ケース５０の商品陳列棚５１等に設置する。次に、商品陳列具１の複数のローラ３、３及びスベリ部４上に脚状凸部５９を有するボトル６０等の商品５を順次載置する。商品５を載置し終わったら、連結機７の保持具１８に止め板１７を嵌める（図３参照）。これら複数のローラ３、３及びスベリ部４上に載置してあるボトル６０の１つを取出部６側から取り出すと、つぎ以降のボトル６０が取出部６側に移動するのに際して、ボトル６０の脚状凸部５９は中央部２ｃのリブ１６及び両端部２ａ、２ｂのローラ３、３の全てが関与するが、リブ１６上にあるボトル６０の脚状凸部５９は、リブ１６に凹みがないため、移動方向の先端部に荷重が集中的にかかっていても、そのまま移動する。ローラ３、３上にある脚状凸部５９は、集中的に荷重がかかっておらず、しかも同時に複数のローラ３上に載っているため、そのまま移動することになる。従って、商品５がボトル６０のように脚状凸部５９があるものでも、スムーズに移動し途中で止まったり、転倒したりすることがない。後はボトル６０を順次取り出しても、同様に作用するから、ボトル６０のような商品５でも常にスムーズに自動前出しできる。
【００１７】
図４は本発明の他の実施の形態の商品陳列具１ａを示すもので、この商品陳列具１ａと図１〜図３の実施形態との相違点は、前出し本体２０ａが、これの取出部６側が水平部２１をなし、この水平部２１に取出部６側に下り傾斜の傾斜部２２を連結して形成した点にある。この商品陳列具１ａにより、水平部２１に載置している商品５は取出部６側に近いから、自動前出しされていなくてもそのまま商品５を容易に取り出せる。そして、水平部２１に載置してある商品５を全部取り出した後、傾斜部２２に載置してある商品５を取り出すことになるが、商品５は水平部２１の端２１ａまで自動前出しされているため、容易に商品５を取り出せる。この結果、図１〜図３の前出し本体２のように、全長にわたり下り傾斜となっている場合に比べて傾斜部分が減るだけ、商品陳列棚５１間の高さ寸法に余裕が生じ、商品５の陳列が楽になるものである。他の構成、作用は図１〜図３の実施形態と同様である。
【００１８】
図５は本発明の他の実施の形態の商品陳列具１ｂを示すもので、この商品陳列具１ｂと図１〜図３の実施の形態との相違点は、前出し本体２０ｂが、これの取出部６側が下り傾斜した傾斜部２３をなし、この傾斜部２３に水平部２４を連結して形成した点にある。この商品陳列具１ｂにより、傾斜部２３に載置している商品５は取り敢えず全て取出部６まで自動前出しされるため、商品５を容易に取り出せる。しかし、水平部２４に載置してある商品５は取出部６から離れ奥にあるから取り出しずらいが、傾斜部２３に載置してある商品５が全て売れきる頃は商品５の補充時間帯に近づいている場合が多いことから、商品５の補充時に水平部２４上の商品５を一旦取り出し、奥の水平部２４に新しい商品５を補充し、その後傾斜部２３に一旦取り出した商品５を載置すればよい。この結果、上記と同様に商品陳列棚５１間の高さ寸法に余裕が生じ、商品５の陳列が楽になるものである。他の構成、作用は図１〜図３の実施形態と同様である。
【００１９】
図６は本発明の他の実施の形態の商品陳列具１ｃを示すもので、この商品陳列具１ｃと図１〜図３の実施形態との相違点は、前出し本体２０ｃは、これの取出部６側に下り傾斜した傾斜部２５、２６を連結して形成した点にある。この商品陳列具１ｃにより、取出部６に隣接している傾斜部２５に載置している商品５は取り敢えず全て取出部６まで自動前出しされるため、容易に商品５を取り出せる。次の傾斜部２６に載置してある商品５は隣接傾斜部２５まで自動前出しされているため、不自由なく商品５を取り出せる。この結果、二段構えの傾斜部２５、２６により、図７に示すように、商品陳列棚５１間の高さ寸法に余裕が生じ、商品５の陳列が楽になるものである。他の構成、作用は図１〜図３の実施形態と同様である。
【００２０】
以上、本発明の実施形態を説明したが、具体的な構成はこれに限定されず、本発明の要旨を逸脱しない範囲での変更、追加は本発明の範囲内である。例えば、上記水平部は、前述の如く、前出し本体の枠体の側面形状が実質的に水平をなしているものを言うが、若干の傾斜を有するようなものも含まれる。
【００２１】
【発明の効果】
以上詳述したように、請求項１の発明によれば、炭酸飲料ボトルのように商品の底部に脚状凸部があっても、両複数のローラ上に載置している凸部は同時に複数のローラ上に載るし、ローラ間には凹みがないため、商品が自動前出しの過程で停止せず、リブで支持するから、転倒することも無く、商品が取出部側にスムーズに移動するようになる。従って、商品の底部形状により自動前出しに支障を来すことがなく、商品を常にスムーズに自動前出しすることが出来、客に高い満足感を与えることができる。
【００２２】
請求項２の発明によれば、水平部に載置している商品は取出部側に近いから、自動前出しされていなくてもそのまま商品を取り出せる、水平部に載置してある商品を全部取り出した後、傾斜部に載置してある商品は水平部の端まで自動前出しされ、商品を取り出すことができ、傾斜部が減る分商品の設置高さ寸法に余裕が生じる。従って、上記効果に加えて、設置場所である商品陳列棚の有効利用と客に対する満足感とを両立させることができる。
【００２３】
請求項３の発明によれば、傾斜部に載置してある商品は取り敢えず全て取出部まで自動前出しされ、商品を取り出せる、水平部に載置してある商品は取り出しずらいが、商品補充の時間帯に近づいているから、商品補充時に先に水平部に商品補充をして、水平部上の商品は手動前出し傾斜部に載置することで、傾斜部が減る分商品の設置高さ寸法に余裕が生じる。従って、上記効果に加えて、上記と同様に商品陳列棚の有効利用と客に対する満足感とを両立させることができる。
【００２４】
請求項４の発明によれば、取出部に隣接している傾斜部に載置している商品は取り敢えず全て取出部まで自動前出しされ、商品を取り出せる、次の傾斜部に載置してある商品は隣接傾斜部まで自動前出しされ、商品を取り出すことができ、二段構えの傾斜部により減る分商品の設置高さ寸法に余裕が生じる。従って、上記効果に加え、上記と同様に商品陳列棚の有効利用と客に対する満足感とを両立させることができる。
【００２５】
請求項５の発明によれば、底部が脚状凸部を有する炭酸飲料ボトルなどの圧力容器を陳列し前出しする場合に上記の優れた効果を発揮する。
【図面の簡単な説明】
【図１】本発明の実施の形態である商品陳列具のセット状態を示す斜視図である。
【図２】本発明の実施の形態である商品陳列具のローラと商品との接触状態を示す一部を断面した正面図である。
【図３】本発明の実施の形態である商品陳列具の使用状態を示す斜視図である。
【図４】本発明の他の実施の形態である商品陳列具の側面図である。
【図５】本発明の他の実施の形態である商品陳列具の側面図である。
【図６】本発明の他の実施の形態である商品陳列具の側面図である。
【図７】本発明の他の実施の形態を示す商品陳列具の設置状態を示す一部を断面した側面図である。
【図８】従来の商品陳列具を示す斜視図である。
【図９】従来の商品陳列具を示す図２と同状の正面図である。
【図１０】従来の商品陳列具を示す平面図である。
【図１１】従来の商品陳列具を示す一部を断面した正面図である。
【符号の説明】
１、１ａ、１ｂ、１ｃ、５６、５６ａ        商品陳列具
２、２０ａ、２０ｂ、２０ｃ、５３        前出し本体
２ａ  ２ｂ              端部
２ｃ                    中央部
３、５４                ローラ
４                      スベリ部
５、５２                商品
４ａ、２０、２７        中心部
６                      取出部
７、５８                連結機
１０、１１、１２、５７    側板
１３                    凹溝
１４、１５              支持板
１６                    リブ
１７                    止め板
１８                    保持具
２１、２４              水平部
２１ａ                  端
２２、２３、２４、２５        傾斜部
５０                    商品陳列ケース
５１                    商品陳列棚
５３                    収納ケース
５４ａ                  面接触
５５                    扉
５９                    脚状凸部
６０                    ボトル
６１                    凹み
６２                    照明灯
【図１】
0004293394.tif 000002
【図２】
0004293394.tif 000003
【図３】
0004293394.tif 000004
【図４】
0004293394.tif 000005
【図５】
0004293394.tif 000006
【図６】
0004293394.tif 000007
【図７】
0004293394.tif 000008
【図８】
0004293394.tif 000009
【図９】
0004293394.tif 000010
【図１０】
0004293394.tif 000011
【図１１】
0004293394.tif 000012